(57)【特許請求の範囲】
【請求項１】
印刷装置と、電子ファイルを表示する電子ファイル表示装置とを有する電子ファイル表示システムであって、
前記印刷装置は、
画面を表示する第１の表示手段と、
前記第１の表示手段によって表示される画面と、識別情報とを対応付けて記憶する記憶手段とを備え、
前記第１の表示手段は、表示中の画面に対応する識別情報を示すコード画像を表示することを特徴とし、
前記電子ファイル表示装置は、
前記コード画像を読み取る読取手段と、
前記読取手段が読み取った前記コード画像から取得した識別情報に基づいて、前記電子ファイル表示装置が表示すべき電子ファイルと、初期表示すべきページとを特定する特定手段と、
前記特定手段によって特定された電子ファイルを構成する複数ページのうち、前記特定手段によって特定されたページを初期表示する第２の表示手段とを備えることを特徴とする電子ファイル表示システム。
【請求項２】
印刷装置と、電子ファイルを表示する電子ファイル表示装置と、サーバとを有する電子ファイル表示システムであって、
前記印刷装置は、
画面を表示する第１の表示手段と、
前記第１の表示手段によって表示される画面と、識別情報とを対応付けて記憶する記憶手段とを備え、
前記第１の表示手段は、表示中の画面に対応する識別情報を示すコード画像を表示することを特徴とし、
前記電子ファイル表示装置は、
前記前記コード画像を読み取る読取手段と、
前記読取手段が読み取った前記コード画像から取得した識別情報を前記サーバに送信する第１の送信手段とを備え、
前記サーバは、
前記電子ファイル表示装置から受信した識別情報に基づいて、前記電子ファイル表示装置が表示すべき電子ファイルと、初期表示すべきページとを特定する特定手段と、
前記特定手段によって特定された電子ファイルと、前記初期表示すべきページを示すページ情報とを前記電子ファイル表示装置に送信する第２の送信手段とを備え、
前記電子ファイル表示装置は、
前記サーバから受信した前記電子ファイルを構成する複数ページのうち、前記サーバから受信した前記ページ情報が示すページを初期表示する第２の表示手段を更に備えることを特徴とする電子ファイル表示システム。
【請求項３】
前記記憶手段は、前記第１の表示手段によって表示される画面と、当該画面の種類を示す識別情報とを対応付けて記憶することを特徴とする請求項１又は２に記載の電子ファイル表示システム。
【請求項４】
前記コード画像はＱＲコード（登録商標）であることを特徴とする請求項１乃至３のいずれか１項に記載の電子ファイル表示システム。
【請求項５】
前記電子ファイルは前記印刷装置のマニュアルであることを特徴とする請求項１乃至４のいずれか１項に記載の電子ファイル表示システム。
【発明の詳細な説明】
【技術分野】
【０００１】
本発明は、電子ファイル表示システム、電子ファイル表示装置、電子ファイルの表示方法、及びプログラムに関する。
【背景技術】
【０００２】
従来、ＰＣ（Ｐｅｒｓｏｎａｌ  Ｃｏｍｐｕｔｅｒ）やＭＦＰ（Ｍｕｌｔｉ  Ｆｕｎｃｔｉｏｎ  Ｐｅｒｉｐｈｅｒａｌ）などの情報処理装置のマニュアルは、電子ファイルとしてユーザに公開されている。例えば特許文献１は、情報処理装置にその情報処理装置の機種を特定するためのＱＲコード（登録商標）が付加されていて、携帯電話機でＱＲコードを読み取ることで機種に対応したマニュアルを取得し、携帯電話機でマニュアルを閲覧する構成を開示している。従って、特許文献１に記載の技術を用いると、情報処理装置に対応したマニュアルを簡単に取得することができる。
【先行技術文献】
【特許文献】
【０００３】
【特許文献１】特開２００７−１９３６０３号公報
【発明の概要】
【発明が解決しようとする課題】
【０００４】
以上のように、特許文献１では情報処理装置に対応した電子ファイル（例えばマニュアル）を簡単に取得することはできるが、ユーザはその電子ファイルの中から所望のページを検索する手間がかかってしまう。
本発明はかかる点に鑑み、ユーザが所望するページを検索する手間を軽減することを目的とする。
【課題を解決するための手段】
【０００５】
上述した課題を解決するために、本発明が提供する電子ファイル表示システムは、印刷装置と、電子ファイルを表示する電子ファイル表示装置とを有する電子ファイル表示システムであって、前記印刷装置は、画面を表示する第１の表示手段と、前記第１の表示手段によって表示される画面と、識別情報とを対応付けて記憶する記憶手段とを備え、前記第１の表示手段は、表示中の画面に対応する識別情報を示すコード画像を表示することを特徴とし、前記電子ファイル表示装置は、前記コード画像を読み取る読取手段と、前記読取手段が読み取った前記コード画像から取得した識別情報に基づいて、前記電子ファイル表示装置が表示すべき電子ファイルと、初期表示すべきページとを特定する特定手段と、前記特定手段によって特定された電子ファイルを構成する複数ページのうち、前記特定手段によって特定されたページを初期表示する第２の表示手段とを備えることを特徴とする。
また、本発明が提供する電子ファイル表示システムは、印刷装置と、電子ファイルを表示する電子ファイル表示装置と、サーバとを有する電子ファイル表示システムであって、前記印刷装置は、画面を表示する第１の表示手段と、前記第１の表示手段によって表示される画面と、識別情報とを対応付けて記憶する記憶手段とを備え、前記第１の表示手段は、表示中の画面に対応する識別情報を示すコード画像を表示することを特徴とし、前記電子ファイル表示装置は、
前記前記コード画像を読み取る読取手段と、前記読取手段が読み取った前記コード画像から取得した識別情報を前記サーバに送信する第１の送信手段とを備え、前記サーバは、前記電子ファイル表示装置から受信した識別情報に基づいて、前記電子ファイル表示装置が表示すべき電子ファイルと、初期表示すべきページとを特定する特定手段と、前記特定手段によって特定された電子ファイルと、前記初期表示すべきページを示すページ情報とを前記電子ファイル表示装置に送信する第２の送信手段とを備え、前記電子ファイル表示装置は、前記サーバから受信した前記電子ファイルを構成する複数ページのうち、前記サーバから受信した前記ページ情報が示すページを初期表示する第２の表示手段を更に備えることを特徴とする。
【発明の効果】
【０００７】
本発明によれば、ユーザが所望するページを検索する手間を軽減することができる。
【図面の簡単な説明】
【０００８】
【図１】本発明の実施形態１における、電子ファイル表示システムの全体図である。
【図２】本発明の実施形態１における、ＭＦＰ１００の構成を示す図である。
【図３】本発明の実施形態１における、表示装置１０１の構成を示す図である。
【図４】本発明の実施形態１における、サーバ装置１０２の構成を示す図である。
【図５】本発明の実施形態１における、ＭＦＰ１００の操作画面の一例である。
【図６】本発明の実施形態１における、テーブル６００の構成を示す図である。
【図７】本発明の実施形態１における、表示装置１０１に表示される画面の一例を示す図である。
【図８】本発明の実施形態１における、電子ファイルの表示方法の一例を示す図である。
【図９】本発明の実施形態１における、表示装置１０１の処理手順を示すフローチャートである。
【図１０】本発明の実施形態１における、サーバ装置１０２の処理手順を示すフローチャートである。
【図１１】本発明の実施形態１における、テーブル１１００の構成を示す図である。
【図１２】本発明の実施形態２における、表示装置１０１の処理手順を示すフローチャートである。
【図１３】本発明の実施形態２における、サーバ装置１０２の処理手順を示すフローチャートである。
【発明を実施するための形態】
【０００９】
以下、本発明を実施するための最良の形態について図面を用いて説明する。なお、以下の実施の形態は特許請求の範囲に係る発明を限定するものでなく、また実施の形態で説明されている特徴の組み合わせの全てが発明の解決手段に必須のものとは限らない。
【００１０】
（実施形態１）
図１は本実施形態における電子ファイル表示システムを示す図である。ＭＦＰ１００はＬＣＤ等のディスプレイや操作部を備え、操作部を介したユーザの指示や図示しない外部装置から投入されたコマンドに応じて、印刷やコピー、読み取った原稿の保存などの処理を実行する。また、情報処理装置の一例としてＭＦＰを例に説明するが、本発明における情報処理装置はこれに限らず、スキャナ、プリンタ等のＳＦＰ（Ｓｉｎｇｌｅ  Ｆｕｎｃｔｉｏｎ  Ｐｅｒｉｐｈｅｒａｌ）やＰＣであっても良い。
【００１１】
また、表示装置１０１はＬＣＤ等のディスプレイとＣＣＤ等を用いたカメラとを備える装置であり、この表示装置１０１のディスプレイ上に電子ファイル（例えばＭＦＰ１００のマニュアル）が表示される。表示装置１０１は例えばタブレット端末などである。
【００１２】
また、サーバ装置１０２はマニュアルなどの電子ファイルを保存していて、ネットワーク１０３を介して表示装置１０１やＭＦＰ１００と通信可能に接続されている。なお、ネットワーク１０３の形態は特に限定されるものではなく、ＬＡＮ（Ｌｏｃａｌ  Ａｒｅａ  Ｎｅｔｗｏｒｋ）やインターネット、無線通信など、様々な形態をとり得る。
【００１３】
図２はＭＦＰ１００の構成を示す図である。
【００１４】
ＣＰＵ２０１はＲＯＭ２０２やＨＤＤ２０４に格納された制御プログラムを読み出してＭＦＰ１００全体の制御行う。ＲＯＭ２０２は、例えば制御プログラムなどの情報を格納する。ＲＡＭ２０３はＣＰＵ２０１の主メモリ、ワークエリア等の一時記憶領域として用いられる。ＨＤＤ２０４はＲＯＭ２０２と同様に、例えば制御プログラムなどの情報を格納する。
【００１５】
操作部２０５は例えばキーボードなどであり、ユーザが入力した情報をＣＰＵ２０１に伝える。表示部２０６はＭＦＰ１００の操作画面やエラー画面などを表示する。なお、本実施形態では操作部２０５と表示部２０６とを別々の構成として説明したが、タッチパネル機能を有する液晶パネルなど、一体の構成としても良い。
【００１６】
スキャナ２０７は原稿を読み取り、画像データを生成する。プリンタ２０８は操作部２０５を介して入力されたユーザの指示や通信部２０９を介して外部装置から入力されたコマンドに基づいて、シートに印刷処理を実行する。通信部２０９は図示しない外部装置などと通信を行う。
【００１７】
図３は表示装置１０１の構成を説明する図である。
【００１８】
ＣＰＵ３０１はＲＯＭ３０２やＨＤＤ３０４に格納された制御プログラムを読み出して表示装置１０１全体の制御行う。ＲＯＭ３０２は、例えば後述する各フローチャートに係る処理を実行するための制御プログラムなどの情報を格納する。ＲＡＭ３０３はＣＰＵ３０１の主メモリ、ワークエリア等の一時記憶領域として用いられる。ＨＤＤ３０４はＲＯＭ３０２と同様に、例えば後述する各フローチャートに係る処理を実行するための制御プログラムなどの情報を格納する。
【００１９】
タッチパネル３０５はタッチパネル機能を有する液晶パネルであり、操作画面を表示する。具体的には、タッチパネル３０５は電子ファイル（例えばＭＦＰ１００のマニュアル）を表示したり、撮像部３０７が撮像した画像を表示できる。また、ユーザがタッチパネル３０５を介して入力した情報をＣＰＵ３０１に伝えることもできる。
【００２０】
通信部３０６はネットワーク１０３を介してサーバ装置１０２と通信したり、無線通信を用いてＭＦＰ１００などの外部装置と通信したりする。
【００２１】
撮像部３０７は例えばＣＣＤカメラであり、撮像部３０７が撮像した画像がタッチパネル３０５に表示される。また、撮像部３０７はＱＲコードなどのコード画像を読み取り、そして読み取ったコード画像を解析することでコード画像に含まれる情報を取得することができる。
【００２２】
なお、本実施形態で操作画面の表示とユーザの入力はタッチパネル３０５で行うと説明したが、表示装置１０１の構成はこれに限定されるものではない。他の形態としては、例えばタッチパネル３０５ではなく表示部と操作部とを設けても良いし、タッチパネル３０５だけでなく操作部を補助的に設けても良い。
【００２３】
図４はサーバ装置１０２の構成を説明する図である。
【００２４】
ＣＰＵ４０１はＲＯＭ４０２やＨＤＤ４０４に格納された制御プログラムを読み出してサーバ装置１０２全体の制御行う。ＲＯＭ４０２は、例えば後述する各フローチャートに係る処理を実行するための制御プログラムなどの情報を格納する。ＲＡＭ４０３はＣＰＵ４０１の主メモリ、ワークエリア等の一時記憶領域として用いられる。ＨＤＤ４０４はＲＯＭ４０２と同様に、例えば後述する各フローチャートに係る処理を実行するための制御プログラムなどの情報を格納する。また、ＨＤＤ４０４は電子ファイルとして、例えばＭＦＰ１００をはじめ様々な機種のＭＦＰのマニュアルを格納する。
【００２５】
通信部４０５はネットワーク１０３を介して表示装置１０１と通信したり、無線通信を用いてＭＦＰ１００などの外部装置と通信したりする。
【００２６】
図５はＭＦＰ１００の表示部２０６に表示される操作画面の一例である。
【００２７】
操作画面５００はメニュー画面であり、ＭＦＰが提供する機能を利用するためのボタンが表示される。操作画面５００ではユーザが利用できる機能としてコピー機能、ＦＡＸ機能、ＳＥＮＤ機能（スキャナ２０７で原稿を読み取ることで生成された画像データを指定された宛先に送信する機能）が表示されている。ユーザがいずれかのボタンを選択することで、そのボタンに対応した機能を利用するための操作画面が表示部２０６に表示される。
【００２８】
操作画面５００にはコード画像５０１が表示される。コード画像５０１は例えばＱＲコードが用いられるが、これに限定されるものではなく、例えばバーコードであってもよい。コード画像５０１には表示部２０６に表示される操作画面の種類を特定するための識別情報が含まれている。また、コード画像５０１に含まれる情報は操作画面の種類を特定するための識別情報に限らず、ＭＦＰ１００の機種を特定するための情報や、サーバ装置１０２を特定するための情報を更に含んでも構わない。この識別情報については図６で詳しく説明する。
【００２９】
図６はＭＦＰ１００のＨＤＤ２０４に記憶されているテーブル６００を示す図である。
【００３０】
テーブル６００は、表示部２０６に表示される操作画面と、当該操作画面の種類を特定するための識別情報が対応付けられている。例えば、メニュー画面は「Ａ−００１」、コピー画面は「Ａ−００２」、エラー（ジャム）画面は「Ａ−００５」と、操作画面と識別情報とが対応付けられている。なお、ＭＦＰ１００はテーブル６００に示した操作画面に限らず、テーブル６００に示していない他のエラーや、ＭＦＰ１００で実行可能な他の機能などのＭＦＰ１００の状態に応じた各種操作画面を、識別情報と対応付けて記憶することができる。
【００３１】
ＭＦＰ１００は表示部２０６に操作画面が表示されると、当該操作画面に対応する識別情報を示すコード画像を生成し、図５で示したように生成したコード画像を操作画面とともに表示する。なお、本実施形態ではコード画像はＭＦＰ１００が生成すると説明したが、これに限定されるものではない。他の実施形態としては、例えば操作画面を表示するための画面情報の中に、コード画像を表示するための情報が含まれていてもよい。
【００３２】
次に、表示装置１０１を用いたＭＦＰ１００のマニュアルの閲覧方法について、図７と図８を用いて説明する。
【００３３】
図７は、表示装置１０１のタッチパネル３０５に表示される画面を示す図である。図７の画面７００には、撮像部３０７によって撮像されるＭＦＰ１００が表示されている。ＭＦＰ１００の表示部２０６にはメニュー画面、コピー画面、エラー画面など、様々な操作画面が表示されていて、更に、操作画面に対応するＱＲコード７０１が表示部２０６に表示されている。
【００３４】
画面７１０のように、撮像部３０７がＱＲコード７０１を認識できるまでユーザが表示装置１０１を近付けると、撮像部３０７がＱＲコード７０１を解析し、表示装置１０１はＱＲコード７０１に含まれる識別情報を取得する。表示装置１０１が識別情報を取得すると、画面７２０のようにサーバ装置１０２からマニュアルを取得するか否かをユーザに問い合わせる。ユーザが画面７２０で「Ｙｅｓ」を選択すると、表示装置１０１はＱＲコードから取得した識別情報をサーバ装置１０２に通知し、ＭＦＰ１００に対応するマニュアルをサーバ装置１０２から取得する。なお、表示装置１０１がサーバ装置１０２と通信するためには、表示装置１０１がサーバ装置１０２を特定する必要がある。サーバ装置１０２を特定するための情報、例えばＩＰアドレスなどは、表示装置１０１のタッチパネル３０５を介してユーザが入力してもよいし、ＭＦＰ１００の表示部２０６に表示されるコード画像から取得しても良い。また、表示装置１０１にサーバ装置１０２のＩＰアドレスが予め設定されていてもよい。
【００３５】
なお、本実施形態ではＱＲコード７０１から識別情報を取得した場合にマニュアルを取得するか否かをユーザに問い合わせる構成としたが、ユーザに問い合わせることなしに、識別情報を取得した場合に自動的にマニュアルを取得する構成にしてもよい。
【００３６】
表示装置１０１がサーバ装置１０２からマニュアルを取得すると、図８に示すように表示装置１０１のタッチパネル３０５にマニュアルが表示される。
【００３７】
領域８０１は取得したマニュアルを表示するための領域である。詳細は後述する図９のフローチャートを用いて説明するが、領域８０１には、マニュアルの全ページの中から、ＱＲコード７０１から取得した識別情報で特定されるページが初期画面として表示される。具体的に説明すると、ＭＦＰ１００の表示部２０６にＦＡＸを利用するためのＦＡＸ画面が表示されている場合、ＱＲコード７０１にはＦＡＸ画面に対応する識別情報として「Ａ−００３」が含まれている。この「Ａ−００３」を用いて表示装置１０１はサーバ装置１０２からマニュアルを取得するため、領域８０１にはマニュアルの先頭のページではなく、ＦＡＸに関連するページが初期画面として表示される。従って、ユーザはマニュアルの中から所望のページを検索する必要がないため、利便性が向上する。
【００３８】
領域８０２は、ユーザが操作を行うためのボタンなどのマニュアル以外の情報が表示される領域である。この領域８０２は、ユーザがボタン８０４を選択することで非表示にすることもできる。領域８０２を非表示にした場合、領域８０１をタッチパネル３０５の全領域を用いて表示できるため、ユーザの視認性が向上する。
【００３９】
領域８０３は、撮像部３０７で撮像される画像を表示するための領域である。ボタン８０５は、領域８０３に表示されるＱＲコードを用いて領域８０１に表示されるマニュアルを更新するためのボタンである。ボタン８０６は、マニュアルの表示を終了すためのボタンである。
【００４０】
領域８０７は、マニュアルのページを所定のページ数並べて表示するための領域である。ユーザは領域８０７に表示されるいずれかのページを選択することで、領域８０１に表示されるマニュアルを領域８０７で選択したページに変更することができる。ボタン８０８は、領域８０７に表示されるページの範囲を右もしくは左に移動させるためのボタンである。ボタン８０９は、領域８０７に表示されるページを拡大もしくは縮小するためのボタンである。
【００４１】
次に、表示装置１０１にＭＦＰ１００のマニュアルを表示する際に実行される処理手順について、図９のフローチャートを用いて説明する。なお、ステップＳ９０１〜Ｓ９０６の各ステップは、表示装置１０１が備えるＣＰＵ３０１がＲＯＭ３０２等のメモリに格納されたプログラムをＲＡＭ３０３に展開して実行することによって処理される。
【００４２】
ステップＳ９０１において、ＣＰＵ３０１は撮像部３０７がＱＲコードを認識したか否かを判定する。撮像部３０７がＱＲコードを認識したとＣＰＵ３０１が判定すると、ステップＳ９０２に進む。一方、撮像部３０７がＱＲコードを認識していないとＣＰＵ３０１が判定すると、ＣＰＵ３０１は撮像部３０７がＱＲコードを認識するまで待機する。
【００４３】
ステップＳ９０２において、ＣＰＵ３０１は、ＱＲコードを解析することで当該ＱＲコードから識別情報を取得したか否かを判定する。ＱＲコードから識別情報を取得したとＣＰＵ３０１が判定すると、ステップＳ９０３に進む。一方、ＱＲコードから識別情報を取得していないとＣＰＵ３０１が判定すると、ステップＳ９０１に戻る。
【００４４】
ステップＳ９０３において、ＣＰＵ３０１はサーバ装置１０２からマニュアルを取得するか否かを判定する。具体的には、図７の画面７２０のようにユーザに問い合わせを行い、ユーザが「Ｙｅｓ」を選択した場合にはＣＰＵ３０１はマニュアルを取得すると判定し、ステップＳ９０４に進む。一方、ユーザが「Ｎｏ」を選択した場合にはＣＰＵ３０１はマニュアルを取得しないと判定し、ステップＳ９０１に戻る。
【００４５】
ステップＳ９０４において、通信部３０６はステップＳ９０２で取得した識別情報をサーバ装置１０２に通知する。
【００４６】
ステップＳ９０５において、ＣＰＵ３０１はサーバ装置１０２からマニュアルとページ情報を受信したか否かを判定する。一般的に、マニュアルには様々な種類の機能やエラーに関する情報が含まれている。従って、表示装置１０１のタッチパネル３０５で表示すべきページを特定するために、表示装置１０１はページ情報をサーバ装置１０２から受信する。即ちページ情報とは、図１１で詳しく説明するが、マニュアルに含まれる全ページの中から、どのページを初期画面として表示すべきかを特定するための情報である。サーバ装置１０２からマニュアルとページ情報を受信したとＣＰＵ３０１が判定すると、ステップＳ９０６に進む。一方、サーバ装置１０２からマニュアルとページ情報を受信していないとＣＰＵ３０１が判定すると、ＣＰＵ３０１はマニュアルとページ情報とを受信するまで待機する。
【００４７】
ステップＳ９０６において、ステップＳ９０５で受信したマニュアルとページ情報に基づいて、タッチパネル３０５はマニュアルに含まれる全ページの中から特定のページを初期画面として表示する。具体的には、図８の画面８００のように、ＱＲコードから取得した識別情報に対応するページ、つまりＭＦＰ１００の表示部２０６が表示する操作画面に関するページを初期画面として表示する。
【００４８】
次に、サーバ装置１０２で実行される処理手順について、図１０のフローチャートを用いて説明する。なお、ステップＳ１００１〜Ｓ１００３の各ステップは、サーバ装置１０２が備えるＣＰＵ４０１がＲＯＭ４０２等のメモリに格納されたプログラムをＲＡＭ４０３に展開して実行することによって処理される。
【００４９】
ステップＳ１００１において、ＣＰＵ４０１は図９のステップＳ９０４で表示装置１０１から通知された識別情報を受信したか否かを判定する。ＣＰＵ４０１が識別情報を受信したと判定すると、ステップＳ１００２に進む。一方、ＣＰＵ４０１が識別情報を受信していないと判定すると、識別情報を受信するまで待機する。
【００５０】
次にステップＳ１００２において、受信した識別情報に基づいて、ＣＰＵ４０１は表示装置１０１に送信すべきマニュアルとページ情報を特定する。このとき、ＣＰＵ３０１はＲＯＭ４０２やＨＤＤ４０４に格納されるテーブル１１００を用いてマニュアルとページ情報を特定する。テーブル１１００については、図１１を用いて詳しく説明する。
【００５１】
ステップＳ１００３において、サーバ装置１０２の通信部４０５は、ステップＳ１００２で特定したマニュアルとページ情報とを表示装置１０１に送信する。
【００５２】
次に、テーブル１１００について図１１を用いて説明する。サーバ装置１０２は、識別情報、マニュアル、ページ情報を対応付けてテーブル１１００として管理している。具体的に説明すると、例えば識別情報「Ａ−００３」にはマニュアル「Ａ＿０１．ｐｄｆ」、ページ情報「１００」が対応付けられている。図６や図８を用いて説明したが、識別情報「Ａ−００３」はＦＡＸ画面を示す識別情報である。そして、マニュアル「Ａ＿０１．ｐｄｆ」はＦＡＸ機能の説明を含むマニュアルを、ページ情報「１００」はＡ＿０１．ｐｄｆの全ページの中でＦＡＸ機能の説明が始まるページ番号を示している。
【００５３】
テーブル１１００では識別情報「Ａ−００１」と「Ａ−００２」は「Ａ−００３」と同じマニュアル「Ａ＿０１．ｐｄｆ」ではあるが、ページ情報は各識別情報に対応した値となっている。また、識別情報「Ａ−００４」と「Ａ−００５」は、それぞれエラーに関する識別情報のため、マニュアルが「Ａ＿０２．ｐｄｆ」となっている。なお、テーブル１１００は特定の機種のＭＦＰのマニュアルだけではなく、様々な機種のマニュアルを管理することができる。テーブル１１００では、識別情報「Ｂ−００１」と「Ｂ−００２」がＭＦＰ１００とは異なる機種のマニュアルを特定するための情報である。
【００５４】
以上のように、本実施形態によれば、表示装置１０１は表示すべきマニュアルだけではなく、ページ情報をサーバ装置１０２から受信し、当該ページ情報に基づいて、マニュアルに含まれる全ページの中から特定のページを初期画面として表示する。従って、表示装置１０１のユーザはマニュアルの中から所望のページを検索する手間がなくなり、利便性が向上する。
【００５５】
また、本実施形態によれば、マニュアルとページ情報はサーバ装置１０２に格納されている。マニュアルの改訂や新たな機種のマニュアルの追加が必要になったとしても、サーバ装置１０２のテーブル１１００の情報を更新するだけでよく、マニュアルの改訂に合わせてＭＦＰ１００と表示装置１０１の構成は更新する必要はない。従って、システム全体の管理の手間が軽減する。
【００５６】
また、本実施形態によれば、表示装置１０１は識別情報で特定されるページ、例えばＦＡＸに関するページだけではなく、全ページを含むマニュアルをサーバ装置１０２から取得する。こうすることにより、必要に応じてＦＡＸ以外のマニュアルを閲覧することもできるため、ユーザの利便性が向上する。
【００５７】
（実施形態２）
実施形態１では、表示装置１０１は識別情報をサーバ装置１０２に通知したときに、マニュアルとページ情報の両方をサーバ装置１０２から受信する。これに対して、本実施形態では表示装置１０１がマニュアルを受信する必要がない場合には、ページ情報のみを受信することを特徴とする。
【００５８】
本実施形態において、表示装置１０１にＭＦＰ１００のマニュアルを表示する際に実行される処理手順について、図１２のフローチャートを用いて説明する。なお、ステップＳ９０１〜Ｓ９０５の各ステップは、図９のフローチャートと同様のため説明は省略する。図１２の各ステップは、表示装置１０１が備えるＣＰＵ３０１がＲＯＭ３０２等のメモリに格納されたプログラムをＲＡＭ３０３に展開して実行することによって処理される。
【００５９】
ステップＳ１２０１において、ＣＰＵ３０１はタッチパネル３０５が既に何らかのマニュアルを取得しているか否かを判定する。タッチパネル３０５が既に何らかのマニュアルを取得している場合は、ステップＳ１２０２に進む。一方、タッチパネル３０５がマニュアルを取得していない場合はステップＳ９０４に進み、図９で説明した処理を実行する。
【００６０】
ステップＳ１２０２において、表示装置１０１の通信部３０６はステップＳ９０２で取得した識別情報と、タッチパネル３０５が取得しているマニュアルの種類（例えばマニュアルのファイル名である「Ａ＿０１．ｐｄｆ」）とをサーバ装置１０２に通知する。そしてステップＳ１２０３において、ＣＰＵ３０１はサーバ装置１０２から情報を受信したか否かを判定する。サーバ装置１０２から情報を受信したとＣＰＵ３０１が判定すると、ステップＳ１２０４に進む。一方、サーバ装置１０２から情報を受信していないとＣＰＵ３０１が判定すると、ＣＰＵ３０１は情報を受信するまで待機する。
【００６１】
次にステップＳ１２０４において、ＣＰＵ３０１はステップＳ１２０３でマニュアルとページ情報の両方を受信したか否かを判定する。マニュアルとページ情報の両方を受信したとＣＰＵ３０１が判定した場合は、ステップＳ１２０６に進み、受信したマニュアルとページ情報に基づいて、タッチパネル３０５はマニュアルに含まれる全ページの中から特定のページを初期画面として表示する。一方、ステップＳ１２０３で受信した情報がページ情報のみであるとＣＰＵ３０１が判定した場合は、ステップＳ１２０５に進む。
【００６２】
ステップＳ１２０５において、タッチパネル３０５は既に取得しているマニュアルの全ページの中から、受信したページ情報で指定される特定のページを表示する。このとき、タッチパネル３０５は既に取得しているマニュアルを用いて表示を行う。つまり、新たにマニュアルを受信する必要がないため、表示装置１０１とサーバ装置１０２との間で余計な通信を行わずに済む。
【００６３】
次に、サーバ装置１０２で実行される処理手順について、図１３のフローチャートを用いて説明する。なお、ステップＳ１００１〜Ｓ１００３の各ステップは、図１０のフローチャートと同様のため説明は省略する。図１３の各ステップは、サーバ装置１０２が備えるＣＰＵ４０１がＲＯＭ４０２等のメモリに格納されたプログラムをＲＡＭ４０３に展開して実行することによって処理される。
【００６４】
ステップＳ１３０１において、ＣＰＵ４０１はステップＳ１００２で特定したマニュアルを表示装置１０１に送信するか否かを判定する。本実施形態では、図１２のステップＳ１２０２において表示装置１０１が取得しているマニュアルの種類が通知されると、サーバ装置１０２の通信部４０５は表示装置１０１が取得しているマニュアルの種類を受信することになる。ステップＳ１３０１では、この受信したマニュアルの種類がステップＳ１００２で特定したマニュアルと同一の種類である場合に、ＣＰＵ４０１がステップＳ１００２で特定したマニュアルを表示装置１０１に送信しないと判定し、ステップＳ１３０２に進む。一方、表示装置１０１から受信したマニュアルの種類がステップＳ１００２で特定したマニュアルと同じ種類ではない場合に、ＣＰＵ４０１がステップＳ１００２で特定したマニュアルを表示装置１０１に送信すると判定し、ステップＳ１００３に進む。
【００６５】
ステップＳ１３０２において、サーバ装置１０２の通信部４０５はステップＳ１００２で特定したページ情報を表示装置１０１に送信する。このとき、ステップＳ１００２で特定したマニュアルは表示装置１０１に送信しない。これはなぜかというと、ステップＳ１００２で特定したマニュアルは既に表示装置１０１が取得しているため、改めて送信する必要のないマニュアルだからである。
【００６６】
以上のように、本実施形態によれば、表示装置１０１が既に取得しているマニュアルはサーバ装置１０２から表示装置１０１に送信しないようにすることが可能となる。従って、表示装置１０１とサーバ装置１０２との間で余計な通信を行わずに済む。
【００６７】
（その他の実施形態）
実施形態１、２では、ＭＦＰ１００の表示部２０６に表示されたＱＲコードなどのコード画像を表示装置１０１の撮像部３０７が読み取ることで識別情報を取得しているが、本発明が適用される形態はこれに限定されるものではない。例えば、ＭＦＰ１００と表示装置１０１を無線ＬＡＮなどのネットワークを介して通信可能にし、識別情報をＭＦＰ１００から表示装置１０１に送信する構成にしてもよい。
【００６８】
また、実施形態１、２では、情報処理装置の一例としてＭＦＰ、電子ファイルの一例としてマニュアルを挙げて説明したが、本発明が適用される形態はこれに限定されるものではない。他の形態としては、例えば、情報処理装置としてテレビを適用し、番組で紹介する商品を示す識別情報をＱＲコードなどのコード画像で表示し、表示装置１０１が当該コード画像から読み取った識別情報を用いて商品カタログを表示する形態などが考えられる。
【００６９】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００７０】
１００  ＭＦＰ
１０１  表示装置
１０２  サーバ装置
３０１  ＣＰＵ
３０５  タッチパネル
３０６  通信部
３０７  撮像部
【図１】
0005875304.tif 000002
【図２】
0005875304.tif 000003
【図３】
0005875304.tif 000004
【図４】
0005875304.tif 000005
【図５】
0005875304.tif 000006
【図６】
0005875304.tif 000007
【図７】
0005875304.tif 000008
【図８】
0005875304.tif 000009
【図９】
0005875304.tif 000010
【図１０】
0005875304.tif 000011
【図１１】
0005875304.tif 000012
【図１２】
0005875304.tif 000013
【図１３】
0005875304.tif 000014